(57)【特許請求の範囲】
【請求項１】
振動板を備え音声を電気信号に変換するマイクロホンユニットと、
前記マイクロホンユニットを覆っているポップフィルタと、を有し、
前記ポップフィルタは、前記振動板の前方にあたる部分に前記振動板に対して角度を有している音波導入面が設けられ、
前記音波導入面は、マイクロホンユニットの指向軸方向の前方から後方に向かって傾斜する平面である、
マイクロホン。
【請求項２】
前記音波導入面には、気流を整流する整流部材が設けられている、
請求項１記載のマイクロホン。
【請求項３】
前記整流部材は、前記音波導入面から垂直に伸びる繊維状の部材である、
請求項２記載のマイクロホン。
【請求項４】
前記整流部材は、静電加工により前記音波導入面に植毛されている、
請求項２または３記載のマイクロホン。
【請求項５】
前記マイクロホンユニットを覆っている筐体と、
前記筐体の前面に設けられている開口部と、
を有し、
前記ポップフィルタは、前記筐体を介して前記マイクロホンユニットを覆っている、
請求項１乃至４のいずれかに記載のマイクロホン。
【請求項６】
振動板を備え音声を電気信号に変換するマイクロホンユニットと、前記マイクロホンユニットを覆っている筐体とを有するマイクロホンに用いるポップフィルタであり、
前記筐体を覆う形状を備えるフィルタ本体と、
前記筐体に対応する形状を備える収容部と、
前記フィルタ本体に設けられていて前記収容部に収容される前記マイクロホンユニットの前記振動板に対して角度を有している音波導入面と、を有し、
前記音波導入面は、マイクロホンユニットの指向軸方向の前方から後方に向かって傾斜する平面である、
マイクロホン用ポップフィルタ。
【請求項７】
前記音波導入面には、気流を整流する整流部材が設けられている、
請求項６記載のマイクロホン用ポップフィルタ。
【請求項８】
前記整流部材は、前記音波導入面から垂直に伸びる繊維状の部材である、
請求項７記載のマイクロホン用ポップフィルタ。
【発明の詳細な説明】
【技術分野】
【０００１】
本発明は、マイクロホンとマイクロホン用ポップフィルタに関するものである。
【背景技術】
【０００２】
マイクロホンで生じるポップ雑音は、マイクロホンが破裂音などを収音したときに、マイクロホンの指向軸の前方（主軸方向）付近で急激な気流変化が生じることによって発生する。
【０００３】
従来、図６に示すように、弾力を有し、枠に張られて構成されたポップフィルタ３００がマイクロホン１００と話者２００との間に設けられ、指向軸前方からの気流の流れを変化させて、ポップ雑音を低減していた。
【０００４】
なお、マイクロホンの先端に被せられるウインドスクリーンにおいて、先端部にドーナツ状の切欠き部を設けてポップ雑音を低減した技術が開示されている（例えば、特許文献１参照）。
【先行技術文献】
【特許文献】
【０００５】
【特許文献１】実公平１−３４４７０号公報
【発明の概要】
【発明が解決しようとする課題】
【０００６】
従来の技術では、使用する都度にマイクロホンの指向軸の前方に所定の面積を持つポップフィルタを取り付けていた。そのため、従来のポップフィルタは
大きく、会議やインタビューなどに用いられる場合、話者を覆うように隠すことが問題であった。また、特許文献１に開示された技術では、指向軸の前方の気流の流れが十分に変化せず、ポップ雑音を低減することが難しかった。そのため、簡易な構成でポップ雑音を低減するポップフィルタが求められていた。
【０００７】
本発明は、簡易な構成でポップ雑音を低減することができるマイクロホンを提供することを目的とする。
【課題を解決するための手段】
【０００８】
本発明は、
振動板を備え音声を電気信号に変換するマイクロホンユニットと、
前記マイクロホンユニットを覆っているポップフィルタと、を有し、
前記ポップフィルタは、前記振動板の前方にあたる部分に前記振動板に対して角度を有している音波導入面が設けられ、
前記音波導入面は、マイクロホンユニットの指向軸方向の前方から後方に向かって傾斜する平面であることを特徴とする。
【発明の効果】
【０００９】
本発明によれば、小型な構成でポップ雑音を低減することができる。
【図面の簡単な説明】
【００１０】
【図１】本発明に係るマイクロホンの実施の形態を示す部分側断面図である。
【図２】本発明に係るマイクロホン用ポップフィルタの実施の形態を示す側断面図である。
【図３】図２のマイクロホン用ポップフィルタの使用状態を示す模式図である。
【図４】図４のマイクロホンとマイクロホン用ポップフィルタを示す拡大側面図である。
【図５】本発明に係るマイクロホン用ポップフィルタの別の実施の形態を示す側断面図である。
【図６】参考例のマイクロホン用ポップフィルタの使用状態を示す模式図である。
【発明を実施するための形態】
【００１１】
以下、本発明に係るマイクロホンとマイクロホン用ポップフィルタの実施の形態について、図面を参照しながら説明する。
【００１２】
●マイクロホンの構成
図１に示す本実施の形態に係るマイクロホン１は、音声を電気信号に変換するマイクロホンユニット１０と、マイクロホンユニット１０を収容している筐体２０と、筐体２０を覆っているポップフィルタ３０とを有する。
【００１３】
マイクロホンユニット１０は、単一指向性エレクトレットコンデンサマイクロホンユニットである。マイクロホンユニット１０は、音声によって振動する振動板１１、必要な電子部品が搭載される回路基板１２と、振動板１１や回路基板１２などを収容するユニットケース１３を備える。マイクロホンユニット１０は、振動板１１を挟んで前部開口部２１と後部開口部２２の２方向から音声を取り入れて、単一指向性を実現している。
【００１４】
筐体２０は略円筒形状の部材である。筐体２０は、マイクロホンユニット１０を覆っている。筐体２０には、前面に前部開口部２１が、側面に後部開口部２２が、それぞれ設けられている。
【００１５】
●ポップフィルタの構成
図２に示すように、ポップフィルタ３０は、フィルタ本体３１と、収容部３２と、音波導入面３３と、整流部材３４とを備える。ポップフィルタ３０は、筐体２０に取り付けられることで、マイクロホンユニット１０の振動板１１を覆っている。
【００１６】
フィルタ本体３１は、一般のウインドスクリーンと同様の材質、例えばポリウレタンなどの空気を通過させることができる材質により構成されている。フィルタ本体３１には、収容部３２と音波導入面３３とが設けられている。フィルタ本体３１は、ポップフィルタ３０の概略形状を定めている。
【００１７】
収容部３２は筐体２０の形状に対応した形状を有し、ポップフィルタ３０の後端側で開放している。開放している後端側からマイクロホン１の筐体２０が挿入されることにより、収容部３２に筐体２０が収容される。例えば、筐体２０は略円筒形状であり、収容部３２も同様に略円筒形状である。そのため、筐体２０が収容部３２に挿入されることで、筐体２０の前面２０１と側面２０２はフィルタ本体３１によって覆われる。
【００１８】
音波導入面３３は、マイクロホン１の集音方向における前方部分に設けられている。音波導入面３３は、マイクロホン１の使用時において音源とマイクロホン１の前部開口部２１との間に位置する。そのため、音波は音源から音波導入面３３を介して、マイクロホンユニット１０の振動板１１の前方へ取り込まれる。
【００１９】
図１に示すように、音波導入面３３は、収容部３２に収容されたマイクロホン１の振動板１１に対して角度を有している。音波導入面３３は、具体的には指向軸方向（主軸方向）前方から後方に向かって（振動板１１を基準として、主軸方向前方に傾くように）傾斜している。音波導入面３３の傾き角は、例えば振動板１１に対して４５°程度が好ましい。
【００２０】
整流部材３４は、音波導入面３３を含むフィルタ本体３１の表面に設けられている繊維状（パイル状）の部材である。整流部材３４は、フィルタ本体３１の表面から垂直またはほぼ垂直方向に伸びている。整流部材３４は、例えば静電植毛加工などにより、音波導入面３３を含むフィルタ本体３１の表面に植毛されている。
【００２１】
図３に示すように、音波導入面３３により、話者２００の口から発せられた音波の気流Ｗのうち、ポップ雑音の原因となるエネルギーの強い気流Ｗ２は音波導入面３３の傾斜に沿って流れる。そのため、気流Ｗ２は振動板１１に直接到達しない。つまり、マイクロホン１では、音波導入面３３により、話者２００の口から発せられた音波の気流Ｗのうち、所望の音波の気流Ｗ１のみを振動板１１に導入させることができる。このマイクロホン１は、特に破裂音に起因する瞬間的な音圧が高い音波に対して効果がある。
【００２２】
音波導入面３３の傾斜方向は、ポップ雑音の音源（話者２００の口、エアコンの吹き出し口など）に対してフィルタ本体３１の厚みが大きくなるようにするのが好ましい。具体的には、音波導入面３３の傾斜方向は、ポップ雑音の音源に対して離れる方向（図３の左上から右下方向）に傾斜しているのが好ましい。
【００２３】
図４に示すように、音波導入面３３を含むフィルタ本体３１の表面に設けられている整流部材３４は、気流Ｗ２によって撓む性質を持つ。図４において、整流部材３４は、図２に示した気流Ｗ２の影響を受けていない整流部材３４と比較して、気流Ｗ２の影響により図３の左上から右下方向に撓んでいる。
【００２４】
この整流部材３４により、マイクロホン１では、ポップ雑音の原因となる気流Ｗ２の流れる方向を前部開口部２１から逸れた方向に整流して、ポップ雑音を低減することができる。また、整流部材３４により、マイクロホン１では、気流Ｗ２のエネルギーを消耗させてポップ雑音を低減することができる。
【００２５】
以上説明したポップフィルタ３０は、フィルタ本体３１の表面に整流部材３４が設けられている例を説明したが、図５に示すように整流部材３４を有しないポップフィルタ３０Ａであってもポップ雑音を低減することができる。
【符号の説明】
【００２６】
１     マイクロホン
１０   マイクロホンユニット
１１   振動板
１２   回路基板
１３   ユニットケース
２０   筐体
２１   前部開口部
２２   後部開口部
３０   ポップフィルタ
３１   フィルタ本体
３２   収容部
３３   音波導入面
３４   整流部材
【図１】
0006519053.tif 000002
【図２】
0006519053.tif 000003
【図３】
0006519053.tif 000004
【図４】
0006519053.tif 000005
【図５】
0006519053.tif 000006
【図６】
0006519053.tif 000007